(57)【特許請求の範囲】
【請求項１】
下地に固定されるベースプレートと、
このベースプレートから起立するスタッドと、
このスタッドが貫通しうる孔を有する化粧プレートと、
このスタッドが貫通しうる孔を有しており、文字又は図形が表示された表示プレートと
を備えており、
化粧プレートの孔及び表示プレートの孔にスタッドが通されることにより、この化粧プレート及び表示プレートがこの順でベースプレートに取り付けられるように構成されており、
正面視においてベースプレートが見えないように、化粧プレートのサイズがベースプレートのサイズよりも大きく設定されており、
正面視において化粧プレートが見えるように、表示プレートのサイズが化粧プレートのサイズよりも小さく設定されている表示具。
【請求項２】
上記化粧プレートが陶磁器、金属、ガラス、天然石又は木材からなる請求項１に記載の表示具。
【請求項３】
上記表示プレートが透明である請求項１又は２に記載の表示具。
【請求項４】
下地にベースプレートが固定される工程と、
このベースプレートから起立するスタッドに、正面視においてこのベースプレートよりもサイズが大きい化粧プレートの孔が通される工程と、
このスタッドに、正面視においてこの化粧プレートよりもサイズが小さい表示プレートの孔が通される工程と
を含む表示具の取り付け方法。
【発明の詳細な説明】
【技術分野】
【０００１】
本発明は、表札、看板、掲示板等の表示具とその取り付け方法とに関する。
【背景技術】
【０００２】
マンションや一戸建て住宅では、入り口近傍の壁面に表札がかけられる。この表札は、壁面に固定される。固定は、セメント、接着剤等でなされる。ボルトによって固定がなされる場合もある。表札には、居住者の氏名等が表示される。
【０００３】
引っ越し、出産、死亡等によって居住者が変わったときは、表札が取り外され、他の表札が固定される。壁面に固定された表札の取り外しには、労力が必要である。取り外し後に、壁面にセメントやボルト用の穴が残ることもある。表札の取り外しにより、壁面が損傷することもある。
【０００４】
実用新案登録第３０５１０５３号公報には、交換が可能な表札が開示されている。この表札は、基板と表示板とを備えている。表示板には、居住者の氏名等が表示される。この表札では、壁面に基板が固定され、この基板に表示板が固定される。引っ越し等の場合には、表示板が交換される。この交換作業は、容易である。
【特許文献１】実用新案登録第３０５１０５３号公報
【発明の開示】
【発明が解決しようとする課題】
【０００５】
上記公報に記載された表札では、表示板の交換は容易になされうるが、基板の交換には困難を伴う。表示板のみが交換されても、基板が交換されなければ、表札の全体的な印象は大きくは変わらない。居住者の変更が無い場合でも、好みにより基板を変更したいと居住者が望む場合がある。例えば、グレードの高い表札への変更を望む居住者がいる。また、季節に応じて色目の異なる表札をかけたいと思う居住者もいる。上記公報に記載された表札では、このような要望に応えることができない。同様の問題は、看板、掲示板等の表示具においても見られる。
【０００６】
本発明の目的は、全体的な印象の変更が容易になされうる表示具の提供にある。
【課題を解決するための手段】
【０００７】
本発明に係る表示具は、
（１）下地に固定されるベースプレート、
（２）このベースプレートから起立するスタッド、
（３）このスタッドが貫通しうる孔を有する化粧プレート
及び
（４）このスタッドが貫通しうる孔を有しており、文字又は図形が表示された表示プレー  ト
を備える。この表示具は、化粧プレートの孔及び表示プレートの孔にスタッドが通されることにより、この化粧プレート及び表示プレートがベースプレートに取り付けられるように構成されている。
【０００８】
好ましくは、化粧プレートは、陶磁器、金属、ガラス、天然石又は木材からなる。好ましくは、表示プレートは、透明である。
【０００９】
本発明に係る表示具取り付け方法は、
（１）下地にベースプレートが固定される工程、
（２）このベースプレートから起立するスタッドに、化粧プレートの孔が通される工程
及び
（３）このスタッドに、表示プレートの孔が通される工程
を含む。
【発明の効果】
【００１０】
この表示具では、化粧プレート及び表示プレートがスタッドから抜かれることにより、容易にかつ下地を傷つけることなく、この化粧プレート及び表示プレートが取り外されうる。表示プレートが交換されることにより、居住者の変更に対応しうる。化粧プレートが交換されることにより、全体的な印象が変更されうる。
【発明を実施するための最良の形態】
【００１１】
以下、適宜図面が参照されつつ、好ましい実施形態に基づいて本発明が詳細に説明される。
【００１２】
図１は、本発明の一実施形態に係る表示具としての表札２が示された分解斜視図である。この表札２は、ベースプレート４、タッピングネジ６、スタッド８、化粧プレート１０、ナット１２、クッションワッシャー１４、表示プレート１６及び化粧ナット１８を備えている。
【００１３】
ベースプレート４の輪郭は、ほぼ矩形である。ベースプレート４は、２個の固定用孔２０と、４個のスタッド用孔２２とを備えている。固定用孔２０は、左右に対称に位置している。スタッド用孔２２は、ベースプレート４の四隅に位置している。スタッド用孔２２の内周面には、雌ねじが螺刻されている。ベースプレート４は、中央に矩形の開口２４を備えている。開口２４により、ベースプレート４の軽量化が図られている。ベースプレート４の好ましい材質は、ステンレススチール又はアルミニウム合金である。ベースプレート４の厚みは、１．０ｍｍ以上１０ｍｍ以下である。
【００１４】
スタッド８は、その外周面に雄ねじを備えている。スタッド８は、スタッド用孔２２に螺入されうる。螺入により、スタッド８がベースプレート４に植え込まれる。スタッド８は十分に長いので、その先端のみがスタッド用孔２２に螺入され、残余の部分はベースプレート４から起立する。
【００１５】
図１では、１個のスタッド用孔２２に螺入される１個のスタッド８が示されているが、全てのスタッド用孔２２にスタッド８が螺入される。換言すれば、この表札２は４個のスタッド８を備えている。スタッド８の数は２個でもよく、３個でもよく、５個以上であってもよい。
【００１６】
化粧プレート１０は、ほぼ矩形である。化粧プレート１０のサイズは、ベースプレート４のサイズよりも大きい。大きな化粧プレート１０により、正面から見られたときにベースプレート４が隠される。化粧プレート１０は、四隅に孔２６を備えている。この孔２６は、ベースプレート４のスタッド用孔２２の位置に対応する。この孔２６の内径は、スタッド８の外径に比べて十分に大きい。従って、スタッド８は孔２６を貫通しうる。化粧プレート１０の厚みは、２．０ｍｍ以上２０ｍｍ以下である。
【００１７】
この化粧プレート１０は、陶磁器からなる。従って、この化粧プレート１０はタイル状の外観をなす。この化粧プレート１０は、観者の趣味感を刺激する。化粧プレート１０が、金属からなってもよい。金属からなる化粧プレート１０の場合、光沢や質感が観者の趣味感を刺激する。化粧プレート１０が、ガラスからなってもよい。この場合は、有色で不透明なガラスが好ましい。化粧プレート１０が、天然石、木材等から形成されてもよい。
【００１８】
クッションワッシャー１４は、リング状である。クッションワッシャー１４は、合成樹脂、ゴム等の軟質な材料からなる。好ましくは、無色の合成樹脂又は着色された合成樹脂から、クッションワッシャー１４が成形される。クッションワッシャー１４の厚みは、０．５ｍｍから２．０ｍｍである。
【００１９】
表示プレート１６は、ほぼ矩形である。表示プレート１６のサイズは、化粧プレート１０のサイズよりも小さい。表示プレート１６は、四隅に孔２８を備えている。この孔２８は、ベースプレート４のスタッド用孔２２の位置に対応する。この孔２８の内径は、スタッド８の外径に比べて十分に大きい。従って、スタッド８は孔２８を貫通しうる。表示プレート１６の厚みは、１．０ｍｍ以上１０ｍｍ以下である。
【００２０】
図１には示されていないが、表示プレート１６には、氏、名、住所等の文字が表示されている（図２参照）。表示プレート１６に、飾り模様等の図形が表示されてもよい。文字、図形等が表示プレート１６に直接画かれてもよく、文字、図形等が画かれたフィルムが表示プレート１６に貼り付けられてもよい。
【００２１】
好ましくは、表示プレート１６は透明である。透明な表示プレート１６が採用されることにより、正面から見られたときに化粧プレート１０が透視され、表札２の美観が高められる。表示プレート１６は、ガラス又は合成樹脂からなる。安全性の観点から、合成樹脂が好ましい。表示プレート１６に好適な合成樹脂は、アクリル樹脂である。
【００２２】
図２は図１の表札２が壁面（すなわち下地）に取り付けられた様子が示された正面図であり、図３は図２のIII−III線に沿った拡大断面図である。
【００２３】
この表札２が取り付けられるには、まず壁面３０の、ベースプレート４の固定用孔２０に対応する位置に、穴が穿設される。穿設には、電動ドリル等が用いられる。次に、この穴に、筒状のアンカープラグ３２（図１参照）が打ち込まれる。アンカープラグ３２は、鉛合金等からなる。次に、ベースプレート４の固定用孔２０にタッピングネジ６が通され、このタッピングネジ６がアンカープラグ３２に螺入される。これにより、ベースプレート４が壁面３０に堅固に固定される。ベースプレート４が、両面テープ、接着剤等で下地に固定されてもよい。
【００２４】
次に、スタッド８がスタッド用孔２２に螺入される。前述のようにスタッド８は十分に長いので、このスタッド８がベースプレート４から起立する。このスタッド８に化粧プレート１０の孔２６が通され、さらにスタッド８にナット１２が螺入される。この螺入により、化粧プレート１０がベースプレート４に取り付けられる。
【００２５】
次に、スタッド８に、クッションワッシャー１４、表示プレート１６の孔２８及び他のクッションワッシャー１４が通される。さらに、スタッド８に化粧ナット１８が螺入される。この螺入により、表示プレート１６がベースプレート４に取り付けられる。こうして、表札２の取り付け作業が完了する。
【００２６】
引っ越し等で居住者に変更が生じた場合、化粧ナット１８がゆるめられ、クッションワッシャー１４及び表示プレート１６がスタッド８から取り外される。そして、新たな表示プレート１６がベースプレート４に取り付けられる。この作業は簡便である。この作業によって壁面３０が損傷することはない。
【００２７】
化粧プレート１０の交換時には、化粧ナット１８がゆるめられ、クッションワッシャー１４及び表示プレート１６がスタッド８から取り外される。さらにナット１２がゆるめられ、化粧プレート１０が取り外される。そして、新たな化粧プレート１０がベースプレート４に取り付けられる。これにより、表札２の全体的な印象が変更されうる。居住者は、自らの好みに応じた表札２を楽しむことが出来る。化粧プレート１０の交換作業も、容易である。この作業によって壁面３０が損傷することはない。
【００２８】
この表札２が固定される下地は、壁面には限られない。門柱、ドア等に、表札２が取り付けられうる。
【産業上の利用可能性】
【００２９】
本発明に係る表示具は、表札のみならず、看板、掲示板等としても用いられうる。
【図面の簡単な説明】
【００３０】
【図１】図１は、本発明の一実施形態に係る表示具としての表札が示された分解斜視図である。
【図２】図２は、図１の表札が壁面に取り付けられた様子が示された正面図である。
【図３】図３は、図２のIII−III線に沿った拡大断面図である。
【符号の説明】
【００３１】
２・・・表札
４・・・ベースプレート
６・・・タッピングネジ
８・・・スタッド
１０・・・化粧プレート
１２・・・ナット
１４・・・クッションワッシャー
１６・・・表示プレート
１８・・・化粧ナット
３０・・・壁面
３２・・・アンカープラグ
【図１】
0004683948.tif 000002
【図２】
0004683948.tif 000003
【図３】
0004683948.tif 000004